(57)【特許請求の範囲】
【請求項１】
切れ目が形成された油吸着シートであって、
前記切れ目は、当該切れ目でその両側部分間が展開されても当該油吸着シートの全体が一体に連続するとともに、当該切れ目でその両側部分間が展開されたときの当該油吸着シートの全体の長さが展開前の状態の長さより長く延び得るように、当該油吸着シートに形成され、
前記切れ目で展開しないように所定箇所が水溶性材料にて結合されたことを特徴とする油吸着シート。
【請求項２】
前記切れ目が、直線状のラインが折れ曲がったような渦巻き状に形成されたことを特徴とする請求項１記載の油吸着シート。
【請求項３】
前記切れ目が、直線状のラインが折れ曲がったような蛇行状に形成されたことを特徴とする請求項１記載の油吸着シート。
【請求項４】
前記切れ目の所定箇所の角部に展開容易にする小切れ目が形成されたことを特徴とする請求項１乃至３のいずれかに記載の油吸着シート。
【請求項５】
前記水溶性材料が水溶性接着剤であることを特徴とする請求項１乃至４のいずれかに記載の油吸着シート。
【請求項６】
前記水溶性材料が水溶性の糸であることを特徴とする請求項１乃至４のいずれかに記載の油吸着シート。
【発明の詳細な説明】
【０００１】
【発明の属する技術分野】
本発明は、船舶の座礁や衝突その他の原因によって海上や湖沼等に流出した油等を吸着除去する油吸着シートに関するものである。
【０００２】
【従来の技術】
従来のこの種の油吸着シートは、シート自体の構造（材質、層構造等）として種々のものが提案されているが、従来のいずれの油吸着シートも、全体として見れば所定の大きさの単なる１枚のシートから構成されている。
【０００３】
この従来の油吸着シートは、油が浮遊している海上等の領域に投入され、油が吸着されるとその油吸着シートを回収することにより、当該油が回収される。
【０００４】
【発明が解決しようとする課題】
しかしながら、前記従来の油吸着シートは、単なる１枚のシートから構成されていたので、当該シートの長さはさほど長くないことから、油が未だ到達していない海上等の領域において予め投入して油を待ち受け、油が到達した際にその油を吸着して回収するような場合には、効率良く油を待ち受けて当該油を吸着することが困難であった。
【０００５】
そこで、油吸着材を細長状に構成しておき、その長さを長くしておくことが考えられる。この場合には、その長さが長いので、油が未だ到達していない海上等の領域において予め投入して油を待ち受ける際にその待ち受け効率が高くなる。
【０００６】
ところが、油吸着材を細長状に構成した場合には、海上等に投入する前や海上等への投入時における取り扱いが、単なる１枚のシートに構成された場合に比べて、不便となってしまう。また、油吸着材を細長状に構成した場合には、油が浮遊している領域に投入してその油を回収する場合には、複数の油吸着材を投入するとこれらが重なり合い易く、このため、却って油の回収効率が悪化してしまう。
【０００７】
本発明は、このような事情に鑑みてなされたもので、油が未だ到達していない海上等の領域において予め投入して油を待ち受ける際にその待ち受け効率が高く、しかも、海上等に投入する前や海上等への投入時において従来の油吸着シートと同様に取り扱うことができるとともに、油が浮遊している領域に投入してその油を回収する場合には少なくとも従来の油吸着シートと同様の油の回収率を保つことができる油吸着シートを提供することを目的とする。
【０００８】
【課題を解決するための手段】
前記課題を解決するため、本発明の第１の態様による油吸着シートは、切れ目が形成された油吸着シートであって、前記切れ目は、当該切れ目でその両側部分間が展開されても当該油吸着シートの全体が一体に連続するとともに、当該切れ目でその両側部分間が展開されたときの当該油吸着シートの全体の長さが展開前の状態の長さより長く延び得るように、当該油吸着シートに形成され、前記切れ目で展開しないように所定箇所が水溶性材料にて結合されたものである。
【０００９】
この第１の態様によれば、切れ目が形成されているが、切れ目で展開しないように所定箇所が水溶性材料にて結合されているので、海上等に投入する前や海上等への投入時においては、従来の油吸着シートと同様に取り扱うことができる。
【００１０】
そして、油が未だ到達していない海上等の領域において予め投入して油を待ち受け、油が到達した際にその油を吸着して回収するような場合に、油が未だ到達していない海上等の領域に当該油吸着シートを投入すると、前記水溶性材料が海水等によって溶解し、切れ目で展開可能な状態となる。このため、当該油吸着シートが波に揉まれて展開する。前記切れ目は、当該切れ目でその両側部分間が展開されても当該油吸着シートの全体が一体に連続するとともに、当該切れ目でその両側部分間が展開されたときの当該油吸着シートの全体の長さが展開前の状態の長さより長く延び得るように、当該油吸着シートに形成されているので、展開された結果、一体に連続した状態で全体の長さが長くなる。したがって、前記第１の態様によれば、油が未だ到達していない海上等の領域において予め投入して油を待ち受ける際に、従来の油吸着シートに比べて、その待ち受け効率が高くなる。
【００１１】
また、前記第１の態様によれば、油が浮遊している領域に投入してその油を回収する場合には、油が浮遊している領域に投入しても水溶性材料は当該油によってカバーされて海水等には接しない。したがって、水溶性材料が溶解しないので、切れ目で展開しないように所定箇所が水溶性材料にて結合された状態が保たれる。このため、油が浮遊している領域に投入してその油を回収する場合には、当該油吸着シートは従来の油吸着シートと同様に取り扱うことができ、従来の油吸着シートと同様の油の回収効率を保つことができる。のみならず、前記切れ目の少なくとも一部（好ましくは、大部分）を水溶性部材で覆わずに外部に露出するようにしておけば、当該油が切れ目の箇所の切断面からも吸着されるので、従来の油吸着シートより油の回収効率を高めることができる。もっとも、前記第１の態様では、例えば、前記水溶性部材として水溶性接着剤を用い、切れ目に沿って水溶性接着剤を塗布して、切れ目が水溶性接着剤で完全に覆われるようにしてもよい。
【００１２】
本発明の第２の態様による油吸着シートは、前記第１の態様による油吸着シートにおいて、前記切れ目が、直線状のラインが折れ曲がったような渦巻き状に形成されたものである。
【００１３】
本発明の第３の態様による油吸着シートは、前記第１の態様による油吸着シートにおいて、前記切れ目が、直線状のラインが折れ曲がったような蛇行状に形成されたものである。
【００１４】
前記第２及び第３の態様は切れ目の形態の例をそれぞれ挙げたものである。前記第２の態様のように切れ目を渦巻き状に形成しておけば、展開時の長さを効率良く長くなり、油の待ち受け効率が一層高まり、好ましい。また、前記第３の態様のように切れ目を蛇行状に形成しておけば、展開時に切れ目に沿った形状が蛇行するので、油の吸着効率が高まり、好ましい。
【００１５】
本発明の第４の態様による油吸着シートは、前記第１乃至第３のいずれかの態様による油吸着シートにおいて、前記切れ目の所定箇所の角部に展開容易にする小切れ目が形成されたものである。この角部は、油吸着シートの端縁に達していない切れ目の端部も含む。
【００１６】
この第４の態様のように、小切れ目を形成しておくと、水溶性材料が溶解して展開する際に、その展開がスムーズに行われ、好ましい。
【００１７】
本発明の第５の態様による油吸着シートは、前記第１乃至第４のいずれかの態様による油吸着シートにおいて、前記水溶性材料が水溶性接着剤であるものである。
【００１８】
本発明の第６の態様による油吸着シートは、前記第１乃至第４のいずれかの態様による油吸着シートにおいて、前記水溶性材料が水溶性の糸であるものである。
【００１９】
前記第５及び第６の態様は水溶性材料の例をそれぞれ挙げたものであるが、水溶性材料は必ずしもこれらに限定されるものではない。
【００２０】
【発明の実施の形態】
以下、本発明による油吸着シートについて、図面を参照して説明する。
【００２１】
（第１の実施の形態）
図１は、本発明の第１の実施の形態による油吸着シート１を示す概略平面図である。図２は、図１に示す油吸着シート１の展開状態を示す概略斜視図である。
【００２２】
本実施の形態による油吸着シート１は、不織布等の油吸着材でシート状に構成されている。
【００２３】
この油吸着シート１には、図１に示すように、切れ目２が形成されている。切れ目２は、当該切れ目２でその両側部分間が展開されても当該油吸着シート１の全体が一体に連続するとともに、当該切れ目２でその両側部分間が展開されたときの当該油吸着シート１の全体の長さが展開前の状態の長さより長く延び得るように、当該油吸着シート１に形成されている。具体的には、本実施の形態では、図１に示すように、切れ目２は、直線状のラインが折れ曲がったような蛇行状に形成されている。
【００２４】
そして、この油吸着シート１では、図面には示していないが、切れ目２で展開しないように所定箇所が水溶性材料にて結合されている。具体的には、本実施の形態では、図１中のラインＬ１〜Ｌ３に沿って、ポリビニルアルコール等の水溶性物質からなる水溶性の糸にて縫合されている。水溶性の糸にて縫合する代わりに、ラインＬ１〜Ｌ３に沿って、澱粉質等の糊などの水溶性接着剤を塗布して接着してもよい。
【００２５】
本実施の形態によれば、切れ目２が形成されているが、切れ目で２展開しないようにラインＬ１〜Ｌ３に沿って水溶性材料にて結合されているので、海上等に投入する前や海上等への投入時においては、従来の油吸着シートと同様に取り扱うことができる。
【００２６】
そして、油が未だ到達していない海上等の領域において予め投入して油を待ち受け、油が到達した際にその油を吸着して回収するような場合に、油が未だ到達していない海上等の領域に当該油吸着シート１を投入すると、前記水溶性材料が海水等によって溶解し、切れ目２で展開可能な状態となる。このため、当該油吸着シート１が、波に揉まれて図２に示すように展開する。切れ目２は前述したように形成されているので、展開された結果、油吸着シート１は、図２に示すように、一体に連続した状態で全体の長さが長くなる。したがって、本実施の形態によれば、油が未だ到達していない海上等の領域において予め投入して油を待ち受ける際に、従来の油吸着シートに比べて、その待ち受け効率が高くなる。
【００２７】
また、本実施の形態によれば、油が浮遊している領域に投入してその油を回収する場合には、油が浮遊している領域に投入しても水溶性材料は当該油によってカバーされて海水等には接しない。したがって、水溶性材料が溶解しないので、切れ目２で展開せずに図１に示す状態が保たれる。このため、油が浮遊している領域に投入してその油を回収する場合には、油吸着シート１は従来の油吸着シートと同様に取り扱うことができ、少なくとも従来の油吸着シートと同様の油の回収効率を保つことができる。のみならず、本実施の形態によれば、図１中のラインＬ１〜Ｌ３に沿って水溶性の糸にて縫合されており、切れ目２の大部分）が外部に露出されているので、油が切れ目２の箇所の切断面からも吸着されることから、従来の油吸着シートより油の回収効率を高めることができる。
【００２８】
さらに、本実施の形態では、切れ目２が蛇行状に形成されているので、図２に示すように、展開時に切れ目に沿った形状が蛇行することから、油の吸着効率が高まり、好ましい。
【００２９】
（第２の実施の形態）
図３は、本発明の第２の実施の形態による油吸着シート１を示す概略平面図である。図４（ａ）は、図３中のＡ部の拡大図である。これらの図において、図１中の要素と同一又は対応する要素には同一符号を付し、その重複する説明は省略する。
【００３０】
本実施の形態が前述した第１の実施の形態と異なる所は、図３及び図４（ａ）に示すように、切れ目２の角部（油吸着シート１の端縁に達していない切れ目２の端部も含む）に、展開容易にする小切れ目３が形成された点のみである。本実施の形態では、小切れ目３は、油吸着シート１の端縁に達していない切れ目２の端部ではＶ字状に形成され、この端部以外の切れ目２の角部ではＹ字状に形成されている。もっとも、小切れ目３は、Ｙ字状に代えて、図３（ｂ）に示すようにＶ字状に形成してもよいし、図３（ｃ）に示すようにＴ字状に形成してもよいし、他の形状に形成してもよい。
【００３１】
本実施の形態によれば、前述した第１の実施の形態と同様の利点が得られる他、小切れ目３が形成されているので、水溶性材料が溶解して展開する際に、その展開がスムーズに行われる。
【００３２】
（第３の実施の形態）
図５は、本発明の第３の実施の形態による油吸着シート１を示す概略平面図である。図６は、図５に示す油吸着シート１の展開状態を示す概略斜視図である。これらの図において、図１中の要素と同一又は対応する要素には同一符号を付し、その重複する説明は省略する。
【００３３】
本実施の形態が前述した第１の実施の形態と異なる所は、切れ目２が、蛇行状に形成される代わりに、直線状のラインが折れ曲がったような渦巻き状に形成されている点のみである。
【００３４】
本実施の形態によれば、本実施の形態によっても、前述した第１の実施の形態と同様の利点が得られる。なお、本実施の形態では、切れ目２が渦巻き状に形成されているので、図６に示すように、展開時の長さを効率良く長くなり、油の待ち受け効率が一層高まり、好ましい。
【００３５】
（第４の実施の形態）
図７は、本発明の第４の実施の形態による油吸着シート１を示す概略平面図である。図７において、図５中の要素と同一又は対応する要素には同一符号を付し、その重複する説明は省略する。
【００３６】
本実施の形態が前述した第３の実施の形態と異なる所は、前述した第２の実施の形態と同様に、切れ目２の角部（油吸着シート１の端縁に達していない切れ目２の端部も含む）に、展開容易にする小切れ目３が形成された点のみである。
【００３７】
本実施の形態によれば、前述した第３の実施の形態と同様の利点が得られる他、小切れ目３が形成されているので、水溶性材料が溶解して展開する際に、その展開がスムーズに行われる。
【００３８】
以上、本発明の各実施の形態について説明したが、本発明はこれらの実施の形態に限定されるものではない。
【００３９】
【発明の効果】
以上説明したように、本発明によれば、油が未だ到達していない海上等の領域において予め投入して油を待ち受ける際にその待ち受け効率が高くなり、しかも、海上等に投入する前や海上等への投入時において従来の油吸着シートと同様に取り扱うことができるとともに、油が浮遊している領域に投入してその油を回収する場合には少なくとも従来の油吸着シートと同様の油の回収効率を保つことができる。
【図面の簡単な説明】
【図１】本発明の第１の実施の形態による油吸着シートを示す概略平面図である。
【図２】図１に示す油吸着シートの展開状態を示す概略斜視図である。
【図３】本発明の第２の実施の形態による油吸着シートを示す概略平面図である。
【図４】図３中のＡ部及びその変形例を示す図である。
【図５】本発明の第３の実施の形態による油吸着シートを示す概略平面図である。
【図６】図５に示す油吸着シートの展開状態を示す概略斜視図である。
【図７】本発明の第４の実施の形態による油吸着シートを示す概略平面図である。
【符号の説明】
１  油吸着シート
２  切れ目
３  小切れ目
【図１】
0003999885.tif 000002
【図２】
0003999885.tif 000003
【図３】
0003999885.tif 000004
【図４】
0003999885.tif 000005
【図５】
0003999885.tif 000006
【図６】
0003999885.tif 000007
【図７】
0003999885.tif 000008